【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
周波数分割多重信号を受信し、送信データを再生する受信装置であって、
受信信号を所望の周波数に周波数変換することで得られる第１の時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記第１の逆フーリエ変換部から出力される各シンボルの信号の前半部分と後半部分を加算して半シンボル長の和信号を生成し、出力する前後半加算部と、
上記第２の逆フーリエ変換部から出力される各シンボルの信号の前半部分と後半部分との差を求め、半シンボル長の差信号を生成し、出力する前後半減算部と、
上記前後半加算部で生成された上記和信号及び上記前後半減算部で生成された上記差信号をもとに、雑音や妨害の影響を抑圧した１シンボル長の信号を出力する再結合部と、
上記再結合部の出力をフーリエ変換する再フーリエ変換部と、
上記再フーリエ変換部におけるフーリエ変換の結果得られた信号を復調して復調信号を生成する等化部と
を備えたことを特徴とする受信装置。
【請求項２】
上記再結合部は、
上記前後半加算部で生成された上記和信号を前半及び後半に有する１シンボル長の信号を生成する第１の繰り返し信号生成部と、
上記前後半減算部で生成された上記差信号を極性反転した信号及び極性反転しない信号の一方を前半に他方を後半に有する１シンボル長の信号を生成する第２の繰り返し信号生成部と、
上記第１の繰り返し信号生成部の出力と上記第２の繰り返し信号生成部の出力を加算して１シンボル長の信号を生成するシンボル内加算部と
を備えることを特徴とする請求項１に記載の受信装置。
【請求項３】
上記再結合部は、
上記前後半加算部で生成された上記和信号を記憶する第１の半シンボル記憶部と、
上記前後半減算部で生成された上記差信号を記憶する第２の半シンボル記憶部とをさらに有し、
上記第１の繰り返し信号生成部は、
上記第１の半シンボル記憶部の出力と上記前後半加算部の出力とを入力とし、上記前後半加算部で生成された上記和信号を前半部分及び後半部分に有する１シンボル長の信号を生成し、
上記第２の繰り返し信号生成部は、
上記第２の半シンボル記憶部の出力と上記前後半減算部の出力とを入力とし、上記前後半減算部で生成された上記差信号を極性反転した信号及び極性反転しない信号の一方を前半部分に他方を後半部分に有する１シンボル長の信号を生成する
ことを特徴とする請求項２に記載の受信装置。
【請求項４】
上記フーリエ変換部の出力を入力とし、伝送路の遅延プロファイルを推定し、推定結果を出力する遅延プロファイル推定部と、
上記遅延プロファイル推定部の出力を入力とし、ガードインターバル長よりも長い遅延時間をもつ遅延波成分を検出し、別途定められた判定閾値と比較して妨害の大きさを判定して判定結果を出力するガードインターバル越え遅延波判定部と、
上記フーリエ変換部の出力を所定の時間遅延する遅延調整部と、
上記ガードインターバル越え遅延波判定部の出力が、妨害成分が上記判定閾値よりも大きいとの判定結果を示している場合には上記遅延調整部の出力を、そうでない場合には上記再フーリエ変換部の出力を選択して出力する信号選択部とを更に備え、
上記等化部は、上記信号選択部の出力を入力として復調を行う
ことを特徴とする請求項１から３までのいずれか１項に記載の受信装置。
【請求項５】
周波数分割多重信号を受信し、送信データを再生する受信装置であって、
受信信号を所望の周波数に周波数変換することで得られる第１の時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記フーリエ変換部の出力を入力とし、伝送路の遅延プロファイルを推定して推定結果を出力する遅延プロファイル推定部と、
上記遅延プロファイル推定部の出力を入力とし、ガードインターバル長よりも長い遅延時間をもつ遅延波成分を検出し、上記フーリエ変換部に入力される遅延波成分のうち、シンボル間干渉を引き起こす成分が含まれている時間を算出して算出結果を出力するガードインターバル越え遅延時間検出部と、
上記ガードインターバル越え遅延時間検出部の出力、上記第１の逆フーリエ変換部から出力される各シンボルの信号及び上記第２の逆フーリエ変換部から出力される各シンボルの信号に基づいてシンボル間干渉の影響を抑圧した１シンボル長の信号を出力する干渉抑圧部と、
上記干渉抑圧部の出力をフーリエ変換する再フーリエ変換部と、
上記再フーリエ変換部におけるフーリエ変換の結果得られる信号から復調信号を生成する等化部と
を備えたことを特徴とする受信装置。
【請求項６】
上記干渉抑圧部は、
上記ガードインターバル越え遅延時間検出部の出力に従って、上記第１の逆フーリエ変換部から出力される各シンボルの信号の前半部分におけるシンボル間干渉の影響を受けた
信号を、当該シンボルの信号の後半部分内の対応する位置にある信号で置き換え、１シンボル長の信号を再構成して再構成結果を出力する第１の信号再構成部と、
上記ガードインターバル越え遅延時間検出部の出力に従って、上記第２の逆フーリエ変換部から出力される各シンボルの信号の前半部分におけるシンボル間干渉の影響を受けた信号を、当該シンボルの信号の後半部分内の対応する位置にある信号を、極性反転させることで生成した信号で置き換え、１シンボル長の信号を再構成して再構成結果を出力する第２の信号再構成部と、
上記第１の信号再構成部の出力と上記第２の信号再構成部の出力を加算して加算結果を出力するシンボル内加算部と
を備えたことを特徴とする請求項５に記載の受信装置。
【請求項７】
周波数分割多重信号を受信し、送信データを再生する受信方法であって、
受信信号を所望の周波数に周波数変換することで得られる第１の時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分を抽出する偶数番目サブキャリア抽出ステップと、
上記偶数番目サブキャリア抽出ステップの出力を逆フーリエ変換して時間ドメインのシンボル毎の信号を出力する第１の逆フーリエ変換ステップと、
上記フーリエ変換ステップの出力のうち、サブキャリア周波数がサブキャリア間隔の奇数倍のサブキャリア成分を抽出する奇数番目サブキャリア抽出ステップと、
上記奇数番目サブキャリア抽出ステップの出力を逆フーリエ変換して時間ドメインのシンボル毎の信号を出力する第２の逆フーリエ変換ステップと、
上記第１の逆フーリエ変換ステップから出力される各シンボルの信号の前半部分と後半部分を加算して半シンボル長の和信号を生成し、出力する前後半加算ステップと、
上記第２の逆フーリエ変換ステップから出力される各シンボルの信号の前半部分と後半部分との差を求め、半シンボル長の差信号を生成し、出力する前後半減算ステップと、
上記前後半加算ステップで生成された上記和信号及び上記前後半減算ステップで生成された上記差信号をもとに、雑音や妨害の影響を抑圧した１シンボル長の信号を出力する再結合ステップと、
上記再結合ステップの出力をフーリエ変換する再フーリエ変換ステップと、
上記再フーリエ変換ステップにおけるフーリエ変換の結果得られた信号を復調して復調信号を生成する等化ステップと
を備えたことを特徴とする受信方法。
【請求項８】
上記再結合ステップは、
上記前後半加算ステップで生成された上記和信号を前半及び後半に有する１シンボル長の信号を生成する第１の繰り返し信号生成ステップと、
上記前後半減算ステップで生成された上記差信号を極性反転した信号及び極性反転しない信号の一方を前半に他方を後半に有する１シンボル長の信号を生成する第２の繰り返し信号生成ステップと、
上記第１の繰り返し信号生成ステップの出力と上記第２の繰り返し信号生成ステップの出力を加算して１シンボル長の信号を生成するシンボル内加算ステップと
を備えることを特徴とする請求項７に記載の受信方法。
【請求項９】
上記再結合ステップは、
上記前後半加算ステップで生成された上記和信号を記憶する第１の半シンボル記憶ステップと、
上記前後半減算ステップで生成された上記差信号を記憶する第２の半シンボル記憶ステップとをさらに有し、
上記第１の繰り返し信号生成ステップは、
上記第１の半シンボル記憶ステップの出力と上記前後半加算ステップの出力とを入力とし、上記前後半加算ステップで生成された上記和信号を前半部分及び後半部分に有する１シンボル長の信号を生成し、
上記第２の繰り返し信号生成ステップは、
上記第２の半シンボル記憶ステップの出力と上記前後半減算ステップの出力とを入力とし、上記前後半減算ステップで生成された上記差信号を極性反転した信号及び極性反転しない信号の一方を前半部分に他方を後半部分に有する１シンボル長の信号を生成する
ことを特徴とする請求項８に記載の受信方法。
【請求項１０】
上記フーリエ変換ステップの出力を入力とし、伝送路の遅延プロファイルを推定し、推定結果を出力する遅延プロファイル推定ステップと、
上記遅延プロファイル推定ステップの出力を入力とし、ガードインターバル長よりも長い遅延時間をもつ遅延波成分を検出し、別途定められた判定閾値と比較して妨害の大きさを判定して判定結果を出力するガードインターバル越え遅延波判定ステップと、
上記フーリエ変換ステップの出力を所定の時間遅延する遅延調整ステップと、
上記ガードインターバル越え遅延波判定ステップの出力が、妨害成分が上記判定閾値よりも大きいとの判定結果を示している場合には上記遅延調整ステップの出力を、そうでない場合には上記再フーリエ変換ステップの出力を選択して出力する信号選択ステップとを更に備え、
上記等化ステップは、上記信号選択ステップの出力を入力として復調を行う
ことを特徴とする請求項７から９までのいずれか１項に記載の受信方法。
【請求項１１】
周波数分割多重信号を受信し、送信データを再生する受信方法であって、
受信信号を所望の周波数に周波数変換することで得られる第１の時間ドメイン信号をフーリエ変換して周波数ドメインの信号を出力するフーリエ変換ステップと、
上記フーリエ変換ステップの出力のうち、サブキャリア周波数がサブキャリア間隔の偶数倍のサブキャリア成分を抽出する偶数番目サブキャリア抽出ステップと、
上記偶数番目サブキャリア抽出ステップの出力を逆フーリエ変換して時間ドメインのシンボル毎の信号を出力する第１の逆フーリエ変換ステップと、
上記フーリエ変換ステップの出力のうち、サブキャリア周波数がサブキャリア間隔の奇数倍のサブキャリア成分を抽出する奇数番目サブキャリア抽出ステップと、
上記奇数番目サブキャリア抽出ステップの出力を逆フーリエ変換して時間ドメインのシンボル毎の信号を出力する第２の逆フーリエ変換ステップと、
上記フーリエ変換ステップの出力を入力とし、伝送路の遅延プロファイルを推定して推定結果を出力する遅延プロファイル推定ステップと、
上記遅延プロファイル推定ステップの出力を入力とし、ガードインターバル長よりも長い遅延時間をもつ遅延波成分を検出し、上記フーリエ変換ステップに入力される遅延波成分のうち、シンボル間干渉を引き起こす成分が含まれている時間を算出して算出結果を出力するガードインターバル越え遅延時間検出ステップと、
上記ガードインターバル越え遅延時間検出ステップの出力、上記第１の逆フーリエ変換ステップから出力される各シンボルの信号及び上記第２の逆フーリエ変換ステップから出力される各シンボルの信号に基づいてシンボル間干渉の影響を抑圧した１シンボル長の信号を出力する干渉抑圧ステップと、
上記干渉抑圧ステップの出力をフーリエ変換する再フーリエ変換ステップと、
上記再フーリエ変換ステップにおけるフーリエ変換の結果得られる信号から復調信号を生成する等化ステップと
を備えたことを特徴とする受信方法。
【請求項１２】
上記干渉抑圧ステップは、
上記ガードインターバル越え遅延時間検出ステップの出力に従って、上記第１の逆フーリエ変換ステップから出力される各シンボルの信号の前半部分におけるシンボル間干渉の影響を受けた信号を、当該シンボルの信号の後半部分内の対応する位置にある信号で置き換え、１シンボル長の信号を再構成して再構成結果を出力する第１の信号再構成ステップと、
上記ガードインターバル越え遅延時間検出ステップの出力に従って、上記第２の逆フーリエ変換ステップから出力される各シンボルの信号の前半部分におけるシンボル間干渉の影響を受けた信号を、当該シンボルの信号の後半部分内の対応する位置にある信号を、極性反転させることで生成した信号で置き換え、１シンボル長の信号を再構成して再構成結果を出力する第２の信号再構成ステップと、
上記第１の信号再構成ステップの出力と上記第２の信号再構成ステップの出力を加算して加算結果を出力するシンボル内加算ステップと
を備えたことを特徴とする請求項１１に記載の受信方法。
【手続補正２】
【補正対象書類名】明細書
【補正対象項目名】００１１
【補正方法】変更
【補正の内容】
【００１１】
本発明の第１の態様の受信装置は、
周波数分割多重信号を受信し、送信データを再生する受信装置であって、
受信信号を所望の周波数に周波数変換することで得られる第１の時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記第１の逆フーリエ変換部から出力される各シンボルの信号の前半部分と後半部分を加算して半シンボル長の和信号を生成し、出力する前後半加算部と、
上記第２の逆フーリエ変換部から出力される各シンボルの信号の前半部分と後半部分との差を求め、半シンボル長の差信号を生成し、出力する前後半減算部と、
上記前後半加算部で生成された上記和信号及び上記前後半減算部で生成された上記差信号をもとに、雑音や妨害の影響を抑圧した１シンボル長の信号を出力する再結合部と、
上記再結合部の出力をフーリエ変換する再フーリエ変換部と、
上記再フーリエ変換部におけるフーリエ変換の結果得られた信号を復調して復調信号を生成する等化部と
を備えたことを特徴とする。
本発明の第２の態様の受信装置は、
周波数分割多重信号を受信し、送信データを再生する受信装置であって、
受信信号を所望の周波数に周波数変換することで得られる第１の時間ドメイン信号をフーリエ変換して周波数ドメインの信号を出力するフーリエ変換部と、
上記フーリエ変換部の出力のうち、サブキャリア周波数がサブキャリア間隔の偶数倍のサブキャリア成分を抽出する偶数番目サブキャリア抽出部と、
上記偶数番目サブキャリア抽出部の出力を逆フーリエ変換して時間ドメインのシンボル毎の信号を出力する第１の逆フーリエ変換部と、
上記フーリエ変換部の出力のうち、サブキャリア周波数がサブキャリア間隔の奇数倍のサブキャリア成分を抽出する奇数番目サブキャリア抽出部と、
上記奇数番目サブキャリア抽出部の出力を逆フーリエ変換して時間ドメインのシンボル毎の信号を出力する第２の逆フーリエ変換部と、
上記フーリエ変換部の出力を入力とし、伝送路の遅延プロファイルを推定して推定結果を出力する遅延プロファイル推定部と、
上記遅延プロファイル推定部の出力を入力とし、ガードインターバル長よりも長い遅延時間をもつ遅延波成分を検出し、上記フーリエ変換部に入力される遅延波成分のうち、シンボル間干渉を引き起こす成分が含まれている時間を算出して算出結果を出力するガードインターバル越え遅延時間検出部と、
上記ガードインターバル越え遅延時間検出部の出力、上記第１の逆フーリエ変換部から出力される各シンボルの信号及び上記第２の逆フーリエ変換部から出力される各シンボルの信号に基づいてシンボル間干渉の影響を抑圧した１シンボル長の信号を出力する干渉抑圧部と、
上記干渉抑圧部の出力をフーリエ変換する再フーリエ変換部と、
上記再フーリエ変換部におけるフーリエ変換の結果得られる信号から復調信号を生成する等化部と
を備えたことを特徴とする。